(57)【特許請求の範囲】
【請求項１】
天井から吊持され間隔を置いて配置された一対のローラーと、
前記ローラーに設けられ前記ローラーを回転させるモーターと、
前記ローラーに巻架され面状型光源を複数有するスクリーンと、
前記面状型光源の照射および前記モーターの駆動を制御する制御部とを備え、
前記ローラーは、電磁石を備え、
前記スクリーンは、磁石を有する連結部を備え、
前記制御部は、前記スクリーンの前記連結部を前記ローラーから離外させるとき、前記ローラーの前記電磁石の磁力をＯＦＦさせることを特徴とする面状型照明装置。
【請求項２】
天井から吊持され間隔を置いて配置された一対のローラーと、
前記ローラーに設けられ前記ローラーを回転させるモーターと、
前記ローラーに巻架され面状型光源を複数有するスクリーンと、
前記面状型光源の照射および前記モーターの駆動を制御する制御部と、
前記スクリーンを前記ローラーの外周に導くガイドと、
前記ローラーと前記ガイドとの間で前記スクリーンと接するよう設けられ、前記ローラーの回転により前記スクリーン上の塵埃を掻き落すブラシと、
前記ブラシの近傍に設けられ、前記ブラシで掻き落とされた塵埃を回収する回収容器とを備えたことを特徴とする面状型照明装置。
【請求項３】
前記ローラーのうちの一方を、前記スクリーンを巻き解く方向へ回転させることで、前記スクリーンを懸吊させることを特徴とする請求項１または請求項２に記載の面状型照明装置。
【請求項４】
隣接する前記面状型光源の境目に設けられたマークと、
前記マークを検知するマーク検知部とを備え、
前記マーク検知部が前記マークを検知した場合に、前記制御部は、前記モーターの駆動を停止させることを特徴とする請求項１〜３のいずれかに記載の面状型照明装置。
【請求項５】
前記スクリーンに設けられた前記マークの個数を記憶させる記憶部を備え、
前記制御部は、前記マーク検知部が前記マークを検知した回数が前記記憶部に記憶された数に達するまで、前記モーターを駆動させ続けることを特徴とする請求項４に記載の面状型照明装置。
【請求項６】
前記ローラーの回転方向を検知する回転検知部を備え、
前記制御部は、
前記回転検知部が前記モーターの前記スクリーンを巻き取る方向への回転を検知すると共に、前記マーク検知部が前記マークを検知した場合に、正の値をカウントし、
前記回転検知部が前記モーターの前記スクリーンを巻き解く方向への回転を検知すると共に、前記マーク検知部が前記マークを検知した場合に、負の値をカウントすることを特徴とする請求項５に記載の面状型照明装置。
【発明の詳細な説明】
【技術分野】
【０００１】
本発明は、取替え及びメンテナンスが容易な、面状型光源の照明装置に関するものである。
【背景技術】
【０００２】
従来から、有機ＥＬ素子などの可とう性を有する面状型光源を用いた照明器具において、その可とう性を活かして、未使用時は面状型光源を巻き取って収納できる照明器具が知られている。（例えば、特許文献１参照。）
【先行技術文献】
【特許文献】
【０００３】
【特許文献１】特開２００１−１００６６１号公報
【発明の概要】
【発明が解決しようとする課題】
【０００４】
しかしながら、今まで天井へ設置し室内全体を明るく照らす設置型面状型照明装置は考案されておらず、面状型光源が故障や寿命で照射されなくなった際の面状型光源の容易な交換方法についても考案されていなかった。面状型照明装置は、従来の電球照明で電球や蛍光灯を交換していたように光源だけを交換することはできず、故障や寿命で光源が発光しなくなった場合は、EL素子などの光源を備えた基板ごと、丸ごと交換しなければならない。そのため、両手を使って交換することが多く、さらに高所で交換作業を行なうため、面状型照明装置の面状型光源の交換は作業者の転倒や怪我が発生するおそれがあるといった問題があった。
【０００５】
本発明は上記問題点を鑑みてなされたものであり、故障や寿命で発光しなくなった場合に光源を交換する期間を長くし、高所での作業を低減させる、安全で、取替え及びメンテナンスが容易な面状型照明装置を提供することを目的とする。
【課題を解決するための手段】
【０００６】
本発明の面状型照明装置は、天井から吊持され間隔を置いて配置された一対のローラーと、前記ローラーに設けられ前記ローラーを回転させるモーターと、前記ローラーに巻架され面状型光源を複数有するスクリーンと、前記面状型光源の照射および前記モーターの駆動を制御する制御部とを備え、前記ローラーは、電磁石を備え、前記スクリーンは、磁石を有する連結部を備え、前記制御部は、前記スクリーンの前記連結部を前記ローラーから離外させるとき、前記ローラーの前記電磁石の磁力をＯＦＦさせることを特徴とする。
また、本発明の面状型照明装置は、天井から吊持され間隔を置いて配置された一対のローラーと、前記ローラーに設けられ前記ローラーを回転させるモーターと、前記ローラーに巻架され面状型光源を複数有するスクリーンと、前記面状型光源の照射および前記モーターの駆動を制御する制御部と、前記スクリーンを前記ローラーの外周に導くガイドと、前記ローラーと前記ガイドとの間で前記スクリーンと接するよう設けられ、前記ローラーの回転により前記スクリーン上の塵埃を掻き落すブラシと、前記ブラシの近傍に設けられ、前記ブラシで掻き落とされた塵埃を回収する回収容器とを備えたことを特徴とする。
【発明の効果】
【０００７】
本発明の面状型照明装置は、複数の面状型光源をローラーに巻回させて収容できるので、ひとつの面状型光源が発光しなくなった場合に、ローラーを回転させ、今まで収容されていた新たな面状型光源を引き出すことで室内を照射させることができ、発光しなくなった面状型光源を交換するまでの期間を長くし、高所での作業を低減させることができる。
【図面の簡単な説明】
【０００８】
【図１】実施の形態１に係る面状型照明装置の構成図である。
【図２】実施の形態１に係る面状型照明装置のブロック図である。
【図３】実施の形態１に係る面状型照明装置の張架面変更動作（ロール３側１枚目）を示すフローチャートである。
【図４】実施の形態１に係る面状型照明装置の張架面変更動作（ロール４側２枚目）を示すフローチャートである。
【図５】実施の形態１に係る面状型照明装置のスクリーン交換動作を示すフローチャートである。
【図６】実施の形態２に係る面状型照明装置の構成図である。
【図７】実施の形態２に係る面状型照明装置の張架面変更動作を示すフローチャートである。
【図８】実施の形態２に係る面状型照明装置の面状型光源の交換作業動作（スクリーン懸架）を示すフローチャートである。
【図９】実施の形態２に係る面状型照明装置の面状型光源の交換作業動作（懸架時）を示す図である。
【図１０】実施の形態２に係る面状型照明装置の面状型光源の交換作業動作（片側交換時）を示す図である。
【図１１】実施の形態２に係る面状型照明装置の面状型光源の交換作業動作（交換完了時）を示す図である。
【図１２】実施の形態２に係る面状型照明装置の面状型光源の交換作業動作を示すフローチャートである。
【図１３】実施の形態３に係る面状型照明装置の構成図である。
【図１４】実施の形態３に係る面状型照明装置の集塵部を示す図である。
【発明を実施するための最良の形態】
【０００９】
以下、本発明に係る面状型照明装置の好適な実施の形態について添付図面を参照して説明する、なお、これらの実施の形態によって本発明が限定されることはない。
【００１０】
実施の形態１．
以下、本実施の形態１について図１〜４を用いて説明する。図１は本実施の形態１に係る面状型照明装置の構成図、図２は面状型照明装置のブロック図、図３は面状型照明装置の張架面変更動作を示すフローチャート、図４は面状型照明装置のスクリーン交換作業動作を示すフローチャートである。
【００１１】
図１に示すように、面状型照明装置１は、面状型光源を複数有するスクリーン２と、天井から吊持され間隔を置いて配置され、スクリーン２を巻回する一対のローラー３，４と、ローラー３，４を回転させるモーター５ａ，５ｂと、ローラー３，４の外側に天井から吊持されスクリーン２をロール３，４の外周に導くガイド６，７と、面状型光源の照射およびモーター５ａ，５ｂの駆動を制御する制御部８とを備えている。
【００１２】
スクリーン２は、面状型光源９ａ，９ｂ，９ｃを有し、一端をローラー３に巻回されるとともに、他端をローラー４に巻回されており、両端部にはそれぞれ、内部もしくは外側に磁石を有する連結部１０，１１が設けられている。また、スクリーン２には、面状型光源９ａ〜９ｃが一列に並べられており、ローラー３，４を回転させることで、ローラー３，４の間に張架する面状型光源を変更させることができる。また、スクリーン２に設けられた面状型光源９の境目および、連結部１０，１１には、個々の面状型光源の境目を識別するためのマーク１２が設けられている。
【００１３】
図２に示すように、ローラー３は、自身を回転させるモーター５ａおよび電磁石１３ａを備え、ローラー４は自身を回転させるモーター５ｂおよび電磁石１３ｂをそれぞれ備えている。また、ローラー３，４の中央部の径は、両端部の径よりも小さくなるよう形成され、ローラーがスクリーン２を巻き取る際の摩擦を低減させる構造になっている。
【００１４】
また、面状型照明装置１は、ローラー３，４の回転方向を検知する回転検知部１５、モーター５にかかる負荷が一定値を超えたことを検知する負荷検知部１６を備え、それらからの検知信号により、モーター５の駆動が制御されている。
【００１５】
さらに、面状型照明装置１は、スクリーン２上に設けられたマーク１２を検知するマーク検知部１７、スクリーン２を構成している面状型光源９の個数をあらかじめ入力し記憶させる記憶部１８を備えている。なお、マーク検知部１７は、スクリーン２がガイド６，７に巻き取られる直前もしくはガイド６，７に巻き解かれた直後のマーク１２を検知できる位置に配置されていることが望ましい。
【００１６】
また、制御部８には、マーク検知部１７でマーク１２が検知された回数をカウントするマークカウント部１９が設けられている。マークカウント部１９は、回転検知部１５の検知結果に基づき、ローラー４がスクリーン２を巻き取る方向（巻回方向）へ回転している場合は正の値をカウントし、ローラー４がスクリーン２を巻き解く方向（巻解方向）へ回転している場合は負の値をカウントする。
【００１７】
次に、張架面変更動作について図３を用いて説明する。
使用者がリモコンなどの操作部により、張架されている面状型光源９ｂをローラー３側に隣接している（ロール３側１枚目の）面状型光源９ａへ変更する指示を入力すると、制御部８はこの入力を受け付け（Ｓ１０１）、記憶部１８に「＋１」が記憶されるとともに（Ｓ１０２）、操作信号に基づいて、ローラー４がスクリーン２を巻回する方向へ回転するようモーター５ｂを駆動させると（Ｓ１０３）、スクリーン２がローラー４側へ送られていく。
【００１８】
ローラー３，４の間に張架されていた面状型光源９ｂはローラー４に巻き取られ、ローラー３，４の間に、ローラー３側に隣接している面状型光源９ａが張架されていく。このとき、回転検知部１５はローラー４の回転方向を検知し（Ｓ１０４）、その後、マーク検知部１７により面状型光源９ｂと面状型光源９ａの間に設けられたマーク１２が検知されると（Ｓ１０５）、マークカウント部１９には「＋１」がカウントされる（Ｓ１０６）。
【００１９】
その後、制御部８は、操作部からの入力により記憶部１８に記憶された数「＋１」とマークカウント部１９にカウントされた数の合計数「＋１」とを比較し（Ｓ１０７）、それらが同数である場合、モーター５ｂの駆動を停止させる（Ｓ１０８）。そして、はじめに張架されていた面状型光源９ｂのローラー３側に隣接している面状型光源９ａが張架される。
【００２０】
次に、張架されている面状型光源９ａを、現在張架されている面状型光源９ａより２つ先（ロール４側２枚目）の面状型光源９ｃに変更する動作について図４を用いて説明する。
まず、使用者がリモコンなどの操作部により、張架されている面状型光源９ａをローラー４側の２枚目に配置されている面状型光源９ｃへ変更する指示を入力すると、制御部８はこの入力を受け付け（Ｓ２０１）、記憶部１８に「−２」が記憶されるとともに（Ｓ２０２）、操作信号に基づいて、ローラー３がスクリーン２を巻回する方向へ回転するようモーター５ａを駆動させ（Ｓ２０３）、スクリーン２がローラー３側へ送られていく。
【００２１】
ローラー３，４の間に張架されていた面状型光源９ａはローラー３に巻き取られ、ローラー３，４の間に、ローラー４側に隣接している面状型光源９ｂが張架されていく。このとき、回転検知部１５はローラー３の回転方向を検知し（Ｓ２０４）、その後、マーク検知部１７により面状型光源９ｂと面状型光源９ａの間に設けられたマーク１２が検知されると（Ｓ２０５）、マークカウント部１９には「−１」がカウントされる（Ｓ２０６）。
【００２２】
その後、制御部８は、操作部からの入力により記憶部１８に記憶された数「−１」とマークカウント部１９にカウントされた数の合計数「−２」とを比較し（Ｓ２０７）、それらが同数でない場合、モーター５ａの駆動を停止させることなく、マーク１２を再び検知するまでモーター５ａを駆動させ続ける。
【００２３】
再び、マーク検知部１７により面状型光源９ｂと面状型光源９ａの間に設けられたマーク１２が検知されると（Ｓ２０５）、マークカウント部１９には「−１」がカウントされ（Ｓ２０６）、マークカウント部１９のカウント合計数は「−２」となる。
【００２４】
その後、制御部８は、操作部からの入力により記憶部１８に記憶された数「−２」とマークカウント部１９にカウントされた数の合計数「−２」とを比較し（Ｓ２０７）、それらが同数である場合、モーター５ａの駆動を停止させる（Ｓ２０８）。そして、はじめに張架されていた面状型光源９ａより２つ先の面状型光源９ｃが張架される。
【００２５】
これにより、はじめに張架されていた面状型光源９ｂのローラー３側に隣接している面状型光源９ａが最適な位置でローラー３，４の間に張架されるので、使用者は、張架されていく面状型光源９ａを注視し続ける必要がなくなり、面状型光源９ａが最適な位置に張架されるようローラー３，４を回転させて微調整するといった細かい操作が不要になる。
【００２６】
次に、スクリーン交換作業動作について図５を用いて説明する。
まず、記憶部１８には、あらかじめスクリーン２に設けられているマークの個数を記憶させておく（Ｓ３００）。そして、使用者が操作部を操作し、スクリーン交換の指示を入力すると、制御部８はこの入力を受け付け（Ｓ３０１）、操作信号に基づいて、ローラー３の電磁石１３ａの磁力をＯＦＦさせ（Ｓ３０２）、スクリーン２の連結部１０をローラー３から離外させると同時に、モーター５ｂを駆動させ（Ｓ３０３）、スクリーン２がローラー４側へ送られていく。
【００２７】
このとき、回転検知部１５はローラー４巻回方向の回転を検知し（Ｓ３０４）、その後、マーク検知部１７により面状型光源９ｂと面状型光源９ａの間に設けられたマーク１２が検知されると（Ｓ３０５）、マークカウント部１９には「＋１」がカウントされる（Ｓ３０６）。
【００２８】
そして、制御部８は、マークカウント部１９のカウント数が、記憶部１８にあらかじめ記憶させていた、スクリーン２に設けられているマークの個数と同数カウントされるまでモーター５ｂを駆動させ続け、スクリーン２に設けられているマークの個数と同数がカウントされると（Ｓ３０７）、ローラー４のモーター５ｂの駆動を停止させ（Ｓ３０８）、スクリーン２がすべてローラー４に巻回された時点でローラー４の回転が停止する。
【００２９】
このとき、マーク検知部１７がマークを検知しても、マークカウント部１９のカウント数が、記憶部１８にあらかじめ記憶させていた数と同数に達するまでは、ローラー４のモーター５ｂの回転を停止させないよう制御させることで、リモコンで連続操作する手間もかからず、スムーズにスクリーン２すべてを巻回させることできる。そして、ローラー４にスクリーン２が全て巻回された状態になるので、使用者はまとめられたスクリーン２ごと、もしくはローラー４ごと新たなスクリーンに交換することができる。
【００３０】
以上のように、本実施の形態によれば、張架されている面状型光源に備えられた面状型光源が故障や寿命で照射しなくなった場合も、ローラーを回転させることにより簡単に新たな面状型光源を張架させることが可能なので、頻繁に高所で面状型光源の交換作業することなく、交換作業の頻度を減少させることができる。
【００３１】
実施の形態２
実施の形態１では、一枚のスクリーンに面状型光源を複数備えている例を挙げたが、本実施の形態２では、面状型光源同士を脱着させることが可能な連結部で連結させることにより、面状型光源のメンテナンスを、より容易で安全に行なうことができる。
【００３２】
以下、本実施の形態２に係る面状型照明装置について図６〜１２を用いて説明する。
図６は本実施の形態２に係る面状型照明装置の構成図、図７は張架面変更動作を示すフローチャート、図８，１２は面状型光源の交換作業動作を示すフローチャート、図９〜１１は面状型光源の交換作業動作を示す図である。
【００３３】
この実施の形態２が実施の形態１と異なる点は、面状型光源が連結部により連結されている点および、マーク部が連結部に設けられている点である。その他の構成については実施の形態１と同一又は同等である。なお、実施の形態１と同一又は同等な構成部分については同一符号を付し、その説明は省略する。
【００３４】
スクリーン２は、両端に配置されたシート２０ａ，２０ｂと、シート２０ａ，２０ｂの間に設けられた面状型光源9ａ，9ｂ，9ｃとが連結され構成されている。シート２０ａ，２０ｂはそれぞれ片方の端部に連結部２１ａ，２１ｂを、面状型光源９ａ，９ｂ，９ｃは、それぞれ両端部に連結部２１ｃ，２１ｄ、２１ｅ、２１ｆ、２１ｇ、２１ｈを備え、連結部２１によって連結されている。
【００３５】
シート２０ａ，２０ｂには光源が設けられておらず、シート２０ａはローラー３に連結され、シート２０ｂはローラー４に連結されている。そのため、シート２０ａ，２０ｂは全面をローラー３，４の間に張架させることはない。また、シート２０ａのローラー３に連結されていない側の端部には連結部２１ａを備え、シート２０ｂのローラー４に連結されていない側の端部には連結部２１ｂを備えている。
【００３６】
連結部２１は半円柱形状であり、連結部の平面部同士を合わせることで棒状に形成される。また、連結部２１の平面部には、磁力が発生するよう、内部もしくは外側に磁石を有しており、面状型光源同士の連結を磁力によって容易に着脱することができる。また、連結部２１には、マーク検知部１７で検知可能なマーク１２が記され、これによって送られる面状型光源の枚数を確認することができる。
【００３７】
次に、張架面変更動作について図７を用いて説明する。
使用者がリモコンなどの操作部により、張架されている面状型光源９ｂをローラー３側に隣接している（ロール３側１枚目の）面状型光源９ａへ変更する指示を入力すると、制御部８はこの入力を受け付け（Ｓ４０１）、記憶部１８に「＋１」が記憶されるとともに（Ｓ４０２）、操作信号に基づいて、ローラー４がスクリーン２を巻回する方向へ回転するようモーター５ｂを駆動させると（Ｓ４０３）、スクリーン２がローラー４側へ送られていく。
【００３８】
ローラー３，４の間に張架されていた面状型光源９ｂはローラー４に巻き取られ、ローラー３，４の間に、ローラー３側に隣接している面状型光源９ａが張架されていく。このとき、回転検知部１５はローラー４の回転方向を検知し（Ｓ４０４）、その後、マーク検知部１７により連結部２１に設けられたマーク１２が検知されると（Ｓ４０５）、マークカウント部１９には「＋１」がカウントされる（Ｓ４０６）。
【００３９】
その後、制御部８は、操作部からの入力により記憶部１８に記憶された数「＋１」とマークカウント部１９にカウントされた数の合計数「＋１」とを比較し（Ｓ４０７）、それらが同数である場合、モーター５ｂの駆動を停止させる（Ｓ４０８）。そして、はじめに張架されていた面状型光源９ｂのローラー３側に隣接している面状型光源９ａが張架される。
【００４０】
次に、面状型光源交換作業動作について図８〜図１２を用いて説明する。
まず、図８のフローチャートに示すように、使用者が操作部を操作し、スクリーン交換の指示を入力すると、制御部８はこの入力を受け付け（Ｓ５０１）、操作信号に基づいて、モーター５ａが駆動し、スクリーン２を巻き解く方向（巻解方向）へローラー３を回転させていく（Ｓ５０２）。このとき、ローラー４のモーター５ｂは動作させていない。すると、ローラー３によって送られていった面状型光源９ａは、ローラー４に巻回されずにローラー４の下側の面をたるませながら床面に向かって懸吊させていく。(図９)
【００４１】
このとき、回転検知部１５はローラー３の巻解方向への回転を検知し（Ｓ５０３）、その後、マーク検知部１７により連結部２１に設けられたマーク１２が検知されると（Ｓ５０４）、マークカウント部１９には「−１」がカウントされる（Ｓ５０５）。
【００４２】
そして、面状型光源９ｂと面状型光源９ｃを連結させている連結部２１ｆ、２１ｇが所望の高さ（例えば、床に立っている作業者の手元）まで降りてきたときに、操作部を操作し、ローラー３のモーター５ａの駆動を停止させる指示を入力する。
【００４３】
制御部８はこの入力を受け付け（Ｓ５０６）、モーター５ａの駆動を停止させる（Ｓ５０７）。その後、面状型光源９ｃの連結部２１ｇと面状型光源９ｂの連結部２１ｆの連結を外し、面状型光源９ｃの連結部２１ｇに、新たな面状型光源９ｄの一方の連結部２１ｋを連結させる。（図１０）
【００４４】
その後、再び操作部を操作し、ローラー３のモーター５ａを駆動させる指示を入力すると、制御部８はこの入力を受け付け（Ｓ５０１）、ローラー３が巻解方向へ回転するようモーター５aをさらに駆動させる（Ｓ５０２）。このとき、回転検知部１５はローラー３の巻解方向への回転を検知し（Ｓ５０３）、その後、マーク検知部１７により連結部２１に設けられたマーク１２が検知されると（Ｓ５０４）、マークカウント部１９には再び「−１」がカウントされる（Ｓ５０５）。
【００４５】
そして、面状型光源９ａとシート２０ａを連結させている連結部２１ａ、２１ｃが所望の高さまで降りてきたときに、操作部を操作しローラー３のモーター５ａを停止させる指示を入力し制御部８はこの入力を受け付け（Ｓ５０６）、モーター５ａの駆動を停止させる（Ｓ５０７）。
【００４６】
モーター５ａ駆動停止後、シート２０ａの連結部２１ａと、面状型光源９ａの連結部２１ｃの連結を外し、シート２０ａの連結部２１ａに、新たな状型光源９ｄの連結部２１ｋを連結させる。（図１１）
【００４７】
交換作業終了後、使用者が操作部を操作して、スクリーン２の交換終了の指示を入力する。すると、制御部８はこの入力を受け付け（Ｓ５０８）、図１２のフローチャートに示すように、操作信号に基づいて、モーター５ａが駆動しローラー３をスクリーン巻回方向へ回転させる（Ｓ５０９）。
【００４８】
このとき、回転検知部１５はローラー３の巻回方向への回転を検知し（Ｓ５１０）、その後、マーク検知部１７により連結部２１に設けられたマーク１２が検知されると（Ｓ５１１）、マークカウント部１９には「−１」がカウントされる（Ｓ５１２）。
【００４９】
その後、制御部８は、マークカウント部１９にカウントされた数の合計数が「０」をカウントするまで、ローラー３がスクリーン２を巻き取り続け、マークカウント部１９が、０をカウントした場合に（Ｓ５１３）、モーター５ａの駆動が停止される（Ｓ５１４）。
【００５０】
以上のように、本実施の形態によれば、通常高所で行う、天井に配置させた面状型照明の交換を、床面から届く範囲で行うことができるため、高所で交換作業を行うことによる作業者の転倒や怪我のおそれを防ぐことができ、安全にスクリーン交換を行うことができる。
【００５１】
また、複数の面状型光源は、全て同じ照射パターンのものを複数配置させることも可能だが、色の違いや配列の違いなど様々な照射パターンの面状型光源をスクリーン２に一列に並べることで、使用者が気分や目的に合わせて容易に照明装置の照射パターンを変更することができる。
【００５２】
また、実施の形態１、２では、負荷検知部１６により、モーター５ａに一定以上の負荷がかかったことを検知した場合にモーター５ａの駆動を停止させるよう、制御部８で制御される。そして、交換作業終了後、マークカウント部１９もしくは記憶部１８に不具合が生じ、モーター５ａの駆動を停止させられない場合でも、スクリーン２を巻き取った際にモーター５ａの駆動を停止させることができ、スクリーン２の破損やモーター５の故障を防止することができる。
【００５３】
実施の形態３
以上、実施の形態１，２で、張架面変更動作などを行なわずにしばらく放置させておくと、ローラー３，４の間に張架させたスクリーンの上面に塵埃が溜まる。その後、張架面変更動作を実施すると、スクリーン上面に溜まった塵埃ごとスクリーンがローラーに巻き込まれ、面状型光源故障の原因になるおそれや、スクリーン上面に溜まった塵埃が面状型照明装置の下へ落ち、面状型照明装置の下に置かれた食卓や床などを汚すおそれが生じる。また以上の問題を解決するため、塵埃掃除専用の機構を設けると、消費電力が増加し、電気代が高くなるおそれが生じる。
【００５４】
以上のような問題を解決するため、余分な機構を設けず、張架面を変更させる動きとともに、スクリーン上の塵埃を回収することができる装置を実施の形態３に示す。
【００５５】
本実施の形態３について図１３，１４を用いて説明する。
図１３は本実施の形態３に係る面状型照明装置の構成図、図１４は面状型照明装置の集塵部を示す図である。
この実施の形態３が実施の形態１と異なるのは、ローラーの側面に、集塵部を設けている点である。その他の構成については実施の形態１と同一又は同等である。なお、実施の形態１と同一又は同等な構成部分については同一符号を付し、その説明は省略する。
【００５６】
図１３に示すように、集塵部２２は、ローラー４の側面に天井から吊持され、スクリーン２と接するよう設けられたブラシ２３と、ブラシの後面（根元側）に設けられ、ブラシ２３の基端上部に開口部を有する回収容器２４とを設ける。回収容器２４は、ブラシ２３によって回収された塵埃を貯留し、天井から吊持されている部分と分離させ、取り外すことが可能であり、そのため、回収した塵埃を捨てること、および回収容器を洗浄することが可能である。
【００５７】
次に、集塵動作について図１４を用いて説明する。
ローラー４がモーター５ｂの駆動によって巻回方向へ回転するたび、ローラー４に巻回されていくスクリーン２の側面にブラシが接触し、スクリーン２の表面に溜まった塵埃を除去していく。ブラシ２３上に溜まった塵埃は、ブラシ２３の基端上部の開口部から回収容器２４へと回収される。
【００５８】
以上のように、本実施の形態によれば、スクリーン２を動作させるたびにスクリーン２上の塵埃を除去回収することができるので、塵埃掃除専用の機構を別途設ける必要がなく、また、消費電力が増加し電気代が高くなるおそれもない。さらに、除去した塵埃を貯留させる回収容器２４を設けたので、頻繁に回収された塵埃を捨てる必要がなく、清掃する回数を減少させることができる。
【符号の説明】
【００５９】
１  面状型照明装置、２  スクリーン、３  ローラー、４  ローラー、５ａ〜５ｂ  モーター、６  ガイド、７  ガイド、８  制御部、９ａ〜９ｄ  面状型照明、１０  連結部、１１  連結部、１２  マーク、１３ａ〜１３ｂ  電磁石、１４  駆動検知部、１５  回転検知部、１６  負荷検知部、１７  マーク検知部、１８  記憶部、１９  マークカウント部、２０ａ〜２０ｂ  シート、２１ａ〜２０ｋ連結部、２２  集塵部、２３  ブラシ、２４  回収容器
【図１】
0005821359.tif 000002
【図２】
0005821359.tif 000003
【図３】
0005821359.tif 000004
【図４】
0005821359.tif 000005
【図５】
0005821359.tif 000006
【図６】
0005821359.tif 000007
【図７】
0005821359.tif 000008
【図８】
0005821359.tif 000009
【図９】
0005821359.tif 000010
【図１０】
0005821359.tif 000011
【図１１】
0005821359.tif 000012
【図１２】
0005821359.tif 000013
【図１３】
0005821359.tif 000014
【図１４】
0005821359.tif 000015